(57)【特許請求の範囲】
【請求項１】
撮影条件を入力する手段と、
前記撮影条件に基づいて被検者を透過したＸ線を画像に変換するＸ線撮影手段と、
前記Ｘ線撮影手段で撮影された画像を表示手段に表示する表示制御手段と、
写損を選択する選択手段と、
前記選択手段で写損が選択された場合には、前記表示手段によって表示された前記画像の写損理由が入力された後に、前記撮影条件での前記Ｘ線撮影手段の撮影を終了する制御手段と、
を有することを特徴とするＸ線撮影装置。
【請求項２】
撮影条件を入力する手段と、
前記撮影条件に基づいて被検者を透過したＸ線を画像に変換するＸ線撮影手段と、
前記Ｘ線撮影手段で撮影された画像を表示手段に表示する表示制御手段と、
写損、再撮影のいずれかを選択する選択手段と、
前記選択手段で写損が選択された場合には、前記表示手段によって表示された前記画像の写損理由が入力された後に、前記撮影条件での前記Ｘ線撮影手段の撮影を終了し、前記選択手段で再撮影が選択された場合には、前記表示手段によって表示された前記画像の写損理由が入力された後に、前記撮影条件で前記Ｘ線撮影手段の再撮影をする制御手段と、
を有することを特徴とするＸ線撮影装置。
【請求項３】
前記表示手段によって表示された画像とともに写損理由を記憶する記憶手段とを有することを特徴とする請求項１又は２に記載のＸ線撮影装置。
【請求項４】
前記記憶手段は、前記表示手段によって表示された画像を写損画像として、圧縮された画像を記憶することを特徴とする請求項３に記載のＸ線撮影装置。
【請求項５】
前記記憶手段は、前記写損画像を写損ではない画像の保存が完了するまで消去しないようにしたことを特徴とする請求項３に記載のＸ線撮影装置。
【請求項６】
前記制御手段は、前記選択手段で再撮影、写損のいずれも選択されなかった画像を第一のサーバ手段に出力し、前記選択手段で再撮影、写損のいずれかが選択された画像を第二のサーバ手段に出力することを特徴とする請求項２乃至４のいずれか一項に記載のＸ線撮影装置。
【請求項７】
撮影条件を入力する工程と、
前記撮影条件に基づいて被検者を透過したＸ線を画像に変換するＸ線撮影工程と、
再撮影、写損のいずれかを選択する選択工程と、
前記選択工程で再撮影が選択された場合には、前記表示手段によって表示された前記画像の写損理由が入力された後に、前記撮影条件で再撮影をし、
前記選択工程で写損が選択された場合には、前記表示手段によって表示された前記画像の写損理由が入力された後に、前記撮影条件でのＸ線撮影を終了する制御工程と、を有することを特徴とするＸ線撮影方法。
【請求項８】
請求項７に記載のＸ線撮影方法をコンピュータにより実行させることを特徴とするプログラム。
【発明の詳細な説明】
【技術分野】
【０００１】
本発明は、デジタルＸ線撮影システムにおけるＸ線撮影装置及びその制御方法に関するものである。
【背景技術】
【０００２】
従来から医用診断を目的としたＸ線撮影には、増感紙とＸ線写真フィルムを組み合わせたフィルムスクリーンシステムが広く用いられている。医師から依頼された撮影オーダはＸ線フィルムとして医師のところへ戻され、医師はこのＸ線フィルムをシャウカステンに掛けて観察する。この場合に、診断部位の観察のし易さを追及し、観察し易い濃度域１．０〜１．５Ｄ程度のコントラストとなるように設定してある。しかし撮影条件がずれると、露光オーバーになったり露光アンダになり易く、診断に悪影響を及ぼすため、撮影に失敗したフィルムは、診断に使用されず写損フィルムとして廃棄されている。
【０００３】
また近年では、このフィルムスクリーンシステムに代り、Ｘ線エネルギを蓄積する輝尽性蛍光体から画像信号を取得するＸ線撮影システムや、Ｘ線の強度に比例した電気信号に変換する平面検出器（ＦＰＤ：Flat Panel Detector）が採用されてきている。
【０００４】
これらの撮影装置においては、従来問題であった露光調整の問題を解決することができ、特にＦＰＤでは撮影直後に画像を確認できるようになっている。従って、フィルムの現像や輝尽性蛍光体の読み出し処理を待たずに、撮影直後に撮影が失敗したか否かを直ちに判断することができ、失敗した撮影オーダの再撮影が迅速に行えるため、被検者、放射線技師の双方共に待ち時間の負担が大幅に軽減されている。
【０００５】
またデジタルＸ線撮影装置では、撮影画像が適正でない場合に、フィルムに出力することは資源及び費用の無駄になる。そこで、特許文献１に示すように医療用プリンタや、診断用の画像サーバ装置に写損画像を配信しないように制御するシステムが提案されている。
【０００６】
この場合に、画像サーバに写損画像を送信しないことにより、ネットワークの負荷を軽減できることや、画像サーバの容量を圧迫したりすることがない点において有効である。
【０００７】
【特許文献１】特開２００１−１７５７７１号公報
【発明の開示】
【発明が解決しようとする課題】
【０００８】
しかしながら、従来のフィルムスクリーンシステムにおいては、写損フィルムを主任技師或いは技師長等の管理者が確認することで、撮影のうちの失敗した撮影枚数がどのくらいあったのか、誰がどのようなミスを繰り返しているのか確認し、指導することができる。従って、自然と監査されているという心理的抑制が働くため、丁寧に撮影をする効果がある。
【０００９】
ところがＸ線撮影装置をデジタル化することで、写損フィルムのコストを削減できるようになり、病院経営に貢献できるようになったが、逆に写損画像の管理が不適切となり写損枚数が不明になるため、安易に写損を発生してしまう。即ち、被検者に不用意な被爆をさせる虞れが生じ、患者保護の点からデメリットになるという問題点が新たに生じている。
【００１０】
本発明の目的は、上述の問題点を解消し、技師の技量及び写損を含む撮影記録を管理するため、写損画像或いは撮影情報をＸ線撮影管理サーバ装置に送信し、デジタル撮影でありながら、従来の運用をより改善するＸ線撮影装置及びその制御方法を提供することにある。
【課題を解決するための手段】
【００１１】
上述の目的を達成するための本発明に係るＸ線撮影装置は、
撮影条件を入力する手段と、
前記撮影条件に基づいて被検者を透過したＸ線を画像に変換するＸ線撮影手段と、前記Ｘ線撮影手段で撮影された画像を表示手段に表示する表示制御手段と、
写損を選択する選択手段と、
前記選択手段で写損が選択された場合には、前記表示手段によって表示された前記画像の写損理由が入力された後に、前記撮影条件での前記Ｘ線撮影手段の撮影を終了する制御手段と、を有することを特徴とする。
【発明の効果】
【００１５】
本発明に係るＸ線撮影装置及びその制御方法によれば、撮影手段により写損画像が発生しても、円滑に再撮影状態に移行でき、写損理由を管理できる。
【発明を実施するための最良の形態】
【００１６】
本発明を図示の実施例に基づいて詳細に説明する。
【実施例１】
【００１７】
図１は本実施例に係る医療用デジタルＸ線撮影装置のシステム構成を示すブロック回路構成図である。Ｘ線撮影装置１０においては、内部バス１１を介して、画像読取制御部１２、ＲＡＭ１３、ＣＰＵ１４、ディスクインタフェース１５、ＬＡＮインタフェース１６、ユーザインタフェース１７が接続されている。ＲＡＭ１３は制御プログラムを格納するＲＡＭ１３ａと画像一時格納用のＲＡＭ１３ｂとを備えている。
【００１８】
また、画像を蓄積する画像読取制御部１２にはデータ線１０ａを介して蛍光体及び大画面光電変換装置を備えたＦＰＤ１８の出力が接続されている。ディスクインタフェース１５には制御プログラム、撮影に必要となる補正情報及び撮影画像を蓄えるハードディスク１９が接続されている。ユーザインタフェース１７には、表示用ディスプレイ２０、キーボード、マウス等の操作部２１が接続されているが、これらの表示用ディスプレイ２０、操作部２１はタッチパネルでも代替可能である。
【００１９】
曝射スイッチ２２の出力はＸ線発生装置制御部２３を経て、ＦＰＤ１８の前面に位置する被検者に対してＸ線を照射するＸ線管球２４に接続されている。また、Ｘ線発生装置制御部２３は同期信号線１０ｂを介して画像読取制御部１２に接続されている。外部装置との通信用のＬＡＮインタフェース１６には、ＬＡＮケーブル２５を介してオーダ装置２６が接続されている。
【００２０】
このＸ線撮影装置１０においては、制御プログラムをハードディスク１９から読み込み、ＲＡＭ１３ａ上でＣＰＵ１４により動作させる。先ず、Ｘ線撮影装置１０を使用する放射線技師は、操作部２１を用いてログインを行う。ログイン管理を行う目的の１つとして、放射線技師の技能管理が挙げられ、放射線技師の管理をするために、何時、誰がどのような理由で失敗したかを特定する必要がある。或る技師が別の技師になりすまして撮影をすることを防ぐため、図２に示す表示用ディスプレイ２０のログイン画面３０のユーザＩＤ入力欄３１、パスワード入力欄３２においてユーザ名とパスワードを入力する。
【００２１】
ユーザの認証が成功しログイン操作が終了すると、ＣＰＵ１４は図示しない放射線科情報システム（ＲＩＳ）からの撮影オーダ情報をＬＡＮケーブル２５上のオーダ装置２６から受信する。本実施例では、受信した撮影オーダ情報の一覧をユーザインタフェース１７を介して、表示用ディスプレイ２０に図３に示す画面４０のように表示する。
【００２２】
Ｘ線撮影装置１０の操作者である放射線技師は、画面４０の検査項目４１をマウスで選択する。これにより、ＣＰＵ１４が実行するＲＡＭ１３ａの制御プログラムは例えば図４に示すように表示用ディスプレイ２０の表示を画面５０に変化させ、受信した撮影オーダ情報を表示する。
【００２３】
ＣＰＵ１４は図３で選択した検査項目４１を操作者に提示するため、検査中は画面５０の被検者情報５１に例えば氏名を表示する。また、この画面５０には、受信した撮影部位５２で構成される撮影項目を釦の形式として表示する撮影条件表示部５３、Ｘ線撮影装置１０のシステム状態表示部５４、撮影終了釦５５が設けられている。
【００２４】
ＣＰＵ１４はシステム制御プログラムを実行し、撮影部位５２の撮影オーダ情報１番目の「胸部正面釦」をクリックにより選択状態にする。操作者は撮影すべき被検者ＳをＦＰＤ１８とＸ線管球２４との間に位置させ、撮影部位５２に従った姿勢に整位する。その間に、制御プログラムによりＣＰＵ１４はＦＰＤ１８に電圧を加え、ＦＰＤ１８でＸ線撮影が行えるように準備し、ＦＰＤ１８がＸ線撮影可能な状態になることを検知すると、システム状態表示部５４に「ＲＥＡＤＹ」と表示する。
【００２５】
操作者はシステム状態表示部５４の画面を確認後に曝射スイッチ２２を押し、Ｘ線を発生させるトリガをシステムに入力すると、発生した曝射信号はＸ線発生装置制御部２３、同期信号線１０ｂを介して画像読取制御部１２に入力される。画像読取制御部１２では、ＦＰＤ１８が撮影可能状態となっているかデータ線１０ａを介して確認した後に曝射許可信号を発生し、この曝射許可信号はＸ線発生装置制御部２３に戻され、Ｘ線発生装置制御部２３はＸ線管球２４からＸ線を照射させる。
【００２６】
Ｘ線の照射後に、被検者Ｓを透過したＸ線は図示しない蛍光体を介してＦＰＤ１８でデジタルデータとして取得され、画像読取制御部１２に転送される。次に、ＣＰＵ１４は制御プログラムを実行し、ユーザインタフェース１７を介して表示用ディスプレイ２０を図５に示す画面６０のように変化させる。
【００２７】
ＣＰＵ１４は画像読取制御部１２から取得した画像データを画面６０の画像表示部６１に表示し、撮影実施情報としてＸ線発生装置制御部２３から線量値を受信し、線量値表示部６２に表示すると共に、ハードディスク１９に記憶する。画像表示部６１に表示される画像の自動濃度調整を操作者が変更しようとする場合に、操作者は濃度調整パラメータ６３を調節することで撮影画像の濃度を変更できる。同様に、コントラスト調整パラメータ６４を調整することにより、撮影画像のコントラストを変更できる。
【００２８】
操作者は画面６０における撮影された画像表示部６１による確認を終えると、次の撮影を行うために、画面上の次撮影釦６５をクリックする。これに対してＣＰＵ１４はプログラムを実行し、図４に示す画面５０に戻し、オーダされた次の撮影部位５２の選択をユーザインタフェース１７で検知し、撮影オーダの全てが完了するまで、操作者に前述と同様の撮影フローを繰り返し実行する。
【００２９】
撮影オーダを全て完了すると再び画面６０に戻り、次の未撮影オーダが存在しないので、ＣＰＵ１４は次撮影釦６５の表示を「検査終了」に変化させる。操作者が次撮影釦６５の「検査終了」をクリックすることにより、被検者Ｓの検査を終了する。
【００３０】
検査終了が指示されると、制御プログラムはハードディスク１９に記憶した撮影条件、撮影実施情報をオーダ装置２６に送信する。制御プログラムは予め決められた通信プロトコルに従い、オーダ装置２６に撮影が終了したことを伝え、その際に撮影が行われた撮影条件と、照射線量等の撮影実施情報を伝える。
【００３１】
また、撮影済画像は上述の撮影条件や撮影実施情報を付帯情報とした画像データとしてＤＩＣＯＭ（Digital Imaging Communication in Medicine）と呼ばれる医療用の標準通信プロトコルに従って外部装置等に出力される。例えば図６に示すように、Ｘ線撮影装置１０’、１０”にはプリンタ７０や、ＰＡＣＳ７１、画像ビューア装置７２、撮影管理装置７３が接続され、ＰＡＣＳ７１を介して外部記憶装置７４が接続されている。
【００３２】
撮影オーダを出した医師は、出力されたフィルムや画像ビューア装置７２で表示した画像を診断に使用する。画像ビューア装置７２で医師の診断が確定した後に、診断レポートが作成され、ＰＡＣＳ７１への保存が終了すると、ＰＡＣＳ７１は画像を外部記憶装置７４に保存し、送信元のＸ線撮影装置１０’、１０”に保存完了を通知する。保存完了通知を受信したＸ線撮影装置１０’、１０”は、撮影実施記録情報を撮影管理装置７３に送信する。
【００３３】
上述の説明では、依頼情報に従って画像を撮影する方法を示したが、検査の目的は医師が指定した撮影部位の画像を取得することである。しかし、撮影は一度で成功しないことがあり、その多くの原因は被検者Ｓの動きによる画像のぶれであり、整位に失敗したことにより、画像が不適切で診断上使用することのできない所謂写損画像が生ずる。
【００３４】
その場合に、操作者は問題画像の再撮影を行うが、ＲＩＳに戻す依頼の撮影実施情報や医師が診断に使用する画像には、再撮影が行われる前の写損画像は必要ではなく、指定された撮影条件でその部位を適正に撮影した画像だけが必要となる。しかし、撮影後も診断が完了するまでは再生する可能性があるので、撮影画像は勿論のこと、写損画像も保持しておく必要がある。
【００３５】
例えば、図７の画面８０では、撮影に際して被検者Ｓが動いてしまったために、撮影画像８１がぶれてしまい、再撮影が必要になった例を示している。操作者が再撮影が必要と判断し、再撮影釦８２を選択すると、ＣＰＵ１４は制御プログラムを実行し、図８に示すように無効にする理由、即ち写損理由を入力させるダイアログ画面９０を表示する。
【００３６】
この画面９０には、Ｘ線撮影装置にログインしている技師名９１を表示すると共に、写損理由の選択釦９２を表示する。操作者が写損理由の選択を終えると、ＯＫ釦９３をクリックすることにより確定させた後に、ダイアログ画面９０を閉じる。ＣＰＵ１４は確定したデータを、図９に示すようにメモリ上或いはデータベース上に保持し、撮影を続行させる。そして、ＣＰＵ１４は図４に示す画面５０に変化し、同一条件で撮影パラメータを設定し、再びＦＰＤ１８を撮影可能な状態に移行させる。
【００３７】
この際に、通常は同一の撮影条件を使うことが一般的であるが、操作者が画面５０の撮影条件表示部５３の条件を変更することも可能である。その後に、操作者が曝射スイッチ２２を押して画像の再撮影が行われると、再撮影画像が図５に示すように表示され、図９に示すようにメモリ上に撮影記録情報１００を記憶する。
【００３８】
図７に示す画面８０において、操作者が再撮影釦８２ではなく、撮影後に写損釦８３をクリックした場合も、ＣＰＵ１４は図８に示すように画面９０を表示し、操作者に理由の入力を促すように制御する。
【００３９】
操作者が全ての撮影オーダを撮り終え、Ｘ線撮影装置１０’、１０”から無効画像を外部装置に送信すると、フィルムの無駄や、ＰＡＣＳ７１の外部記憶装置７４を圧迫し、医師の画像診断時の妨げになる。そこで、有効な画像だけを予め設定しておいたプリンタ７０やＰＡＣＳ７１に送信するように構成することにより、撮影オーダを出した医師は診断に必要なデータだけを受信することができ、好適なシステム構成を構築することができる。
【００４０】
しかしながら上記の構成では、写損画像及び写損が発生した理由はＸ線撮影装置１０の内部に残留し、再撮影や写損が発生したという事実が技師の管理者には伝わらない。更に、被験者にＸ線を照射したにも拘わらず、第１のサーバ手段であるＰＡＣＳ７１に送られなかった画像は、Ｘ線撮影装置１０のハードディスク１９が満杯になると、古い順に消去してゆく。即ち、管理者が複数のＸ線撮影装置１０を操作し、写損画像をチェックしないと或る時間が経過すると自動的に消去されてしまう。
【００４１】
そこで、本実施例のＣＰＵ１４が実行するＸ線撮影装置１０’の制御プログラムは、診断用に第１のサーバ手段であるＰＡＣＳ７１に図９における＃１と＃３の画像を送信する。一方で、撮影記録用としての第２のサーバ手段であるＸ線撮影管理装置７３に、＃１、＃２、＃３の撮影情報と共に＃２の写損画像を送信する。
【００４２】
この第２の撮影管理サーバ手段であるＸ線撮影管理装置７３において、全ての撮影、即ち検査依頼に対する正常撮影と、写損となった失敗撮影の全ての撮影記録をクライアント装置から受信するように構成すれば、Ｘ線撮影記録を作成することができる。また、同時に写損となった画像も受信するので、写損理由と写損画像とを突き合わせて写損理由の整合性を確認できる。これらの撮影記録をデータベースに保存して、技師別に分析するようにすれば、管理者はＸ線撮影装置１０の操作者である技師の技量をチェックすることができる。
【００４３】
Ｘ線撮影装置１０’が写損情報を送信するタイミングは、予め設定しておいた検査終了時や撮影画像を外部装置に送信する時でもよい。或いは、プリンタ７０やＰＡＣＳ７１で保存が完了したという通知をＸ線撮影装置１０’が受信したタイミングや、一日単位又は病院の会計情報と連動するように実行してもよい。また、画像処理が適切ではなかったという理由で、Ｘ線撮影装置１０’から外部装置に撮影データを修正して再送し、診断に使用する場合がある。しかし、その場合には写損情報を第２のサーバ手段である撮影管理装置７３に再送しないようにすることも当然である。
【００４４】
一方で、再送の発生件数を管理することも考えられ、Ｘ線撮影装置１０の操作者が通常のワークフローから外れる行為を行った場合にも、その操作を追跡し撮影管理装置７３に送信する。これにより、管理者は撮影管理装置７３上の端末を操作し、Ｘ線撮影装置１０’、１０”で発生した写損画像及びその理由を確認できる。
【００４５】
本実施例におけるシステムはＸ線撮影記録を管理することを目的とするので、Ｘ線撮影装置１０’と撮影管理装置７３間の通信は、写損を含む全ての撮影記録だけを受信する場合もある。また、写損画像を受信する場合でも、撮影画像をそのまま含むようにしてもよいが、管理者にとって精細なオリジナル画像は必ずしも必要でない。この場合に、オリジナル画像から作成した縮小画像や非可逆圧縮等の画像処理済画像を受信して、確かに写損理由が正しいことを管理者が確認をするシステムとすることもできる。
【００４６】
また、確認済画像は自動削除してもよいので、画像保護フラグを落とすように制御する。撮影記録を検査毎に受信するが、サーバ装置であるコンピュータ上にデータベースとして保管するので、技師別に統計を取り直したり、写損理由別に統計を取るようにＸ線撮影管理システムを構築することができる。以上の制御で、サーバ装置の負荷を軽減しながら、技師の技量を管理するという目的を十分に達成できる。
【００４７】
図１０はＸ線撮影装置の制御プログラムのフローチャート図である。検査開始後に、制御プログラムはステップＳ１で撮影オーダを取得した後に、ステップＳ２に進み撮影処理を実行する。続いて、ステップＳ３で撮影オーダを全て終了したか否かを調べ、終了していない場合はステップＳ２に戻り撮影処理を実行する。ステップＳ３で撮影オーダを全て終了した場合にはステップＳ４に進み、第１のサーバ手段であるＰＡＣＳ７１へ有効な検査画像だけを出力し、使用するプロトコルは医療機器の通信標準であるＤＩＣＯＭを使用して撮影画像を送信する。
【００４８】
続いて、ステップＳ５に進み、第２のサーバ手段である撮影管理装置７３に少なくとも全ての撮影記録を出力する。出力に使用するプロトコルは、例えば前述したＤＩＣＯＭの撮影実施情報として送信してもよいが、本実施例では例えば電子メールを送信するときに使用するＳＭＴＰ（Simple Mail Transmit Protocol）を使用し、撮影記録情報を送信する。このプロトコルの盗聴やなりすましを防ぐためには、暗号化したＳ／ＭＩＭＥ（Secure Multipurpose Mail Exchange）を使用することが望ましい。
【００４９】
更に、写損となった無効画像を、例えばＪＰＥＧ圧縮して撮影記録と共に出力するように制御する。以上のステップが終了すると、検査依頼に関するプログラム処理を終了し、ステップＳ６に進んで、以降の撮影オーダの実行待ちとなる。
【００５０】
図１１のフローチャート図は図１０のステップＳ２の撮影処理の詳細フローを示している。先ず、ステップＳ１１で撮影処理を開始すると、ステップＳ１２において未撮影の撮影オーダの「撮影釦」を表示した後に、ステップＳ１３に進みデータベースから撮影オーダに相当するパラメータを読み込む。次にステップＳ１４に進み、センサであるＦＰＤ１８を「ＲＥＡＤＹ」状態にすると共に、ステップＳ１５でＸ線撮影が実行されるまで待ち状態にする。撮影が実行されると、ステップＳ１６に進み画像解析を実行して、ステップＳ１７で表示用ディスプレイ２０に画像表示を行う。
【００５１】
操作者が画像を見て画像処理パラメータを変更する場合には、画像処理パラメータ調整画面に入り、変更後に確定させる。変更しない場合は診断に使用できるかを判断した結果をステップＳ１８で入力する。ステップＳ１９で入力が「次撮影釦」である場合には、ステップＳ２０に進み、次撮影を実行するために撮影記録データを更新し、ステップＳ２１に進み撮影処理を終了する。
【００５２】
ステップＳ１９の判定が「次撮影釦」でない場合にはステップＳ２２に進み、押された釦が「写損釦」であったか否かを判定する。「写損釦」である場合はステップＳ２３に進み、前述したように写損理由を入力させて撮影記録を写損にして、ステップＳ２１に進んで撮影処理を終了する。
【００５３】
ステップＳ２２において「写損釦」ではなかった場合には、ステップＳ２４において「再撮影釦」であったか否かを判定し、「再撮影釦」であった場合にはステップＳ２５に進む。再撮影処理を実行する無効画像であることを示すために、写損マークを付加して表示するため、ステップＳ２５で前述したように再撮影の理由を入力し、撮影記録データを更新し、ステップＳ１３に戻ってＸ線撮影待ち処理を実行する。ステップＳ２４において、「再撮影釦」ではない場合にはステップＳ１８に戻り、撮影結果の判定を再度実行する。
【００５４】
本実施例においては、制御プログラムをハードディスク１９に記憶しておき、ＲＡＭ１３に転送しＣＰＵ１４で実行する場合について説明した。しかし、これに限定されるものではなく、任意の記憶媒体を用いて実現してもよく、また同様の動作をする回路で実現してもよい。
【００５５】
なお本実施例は、複数の機器から構成されるシステムに適用しても、１つの機器から成る装置に適用してもよい。例えば、上述した実施例の機能を実現するソフトウェアのプログラムコードを記録した記録媒体をシステム、装置に供給し、コンピュータ又はＣＰＵが格納されたプログラムコードを読み出し実行することによっても、達成できることは云うまでもない。この場合に、記録媒体から読み出されたプログラムコード自体が前述した実施例の機能を実現することになり、そのプログラムコードを記録した記録媒体は本発明を構成することになる。
【００５６】
プログラムコードを供給するための記録媒体としては、例えばフロッピディスク、ハードディスク、光ディスク、光磁気ディスク、ＣＤ−ＲＯＭ、ＣＤ−Ｒ、磁気テープ、不揮発性のメモリカード、ＲＯＭ等を用いることができる。
【００５７】
また、コンピュータが読み出したプログラムコードを実行することにより、上述した実施例の機能が実現されるだけでなく、そのプログラムコードの指示に基づいて、コンピュータ上で稼働しているＯＳ等が実際の処理の一部又は全部を行う場合も含まれる。
【００５８】
更に、記録媒体から読み出されたプログラムコードは、コンピュータに挿入された機能拡張ボードやコンピュータに接続された機能拡張ユニットに備わるメモリに書き込まれて使用される。このプログラムコードの指示に基づいて、その機能拡張ボードや機能拡張ユニットに備わるＣＰＵ等が実際の処理の一部又は全部を行い、その処理によって前述した実施例の機能が実現される場合も含まれる。
【００５９】
なお、上述した実施例の機能を実現するソフトウェアのプログラムコードを記録した記憶媒体から、そのプログラムをインタネット等の通信ラインを介して、要求者にそのプログラムを配信する場合にも適用可能である。
【００６０】
実施例では、Ｘ線撮影装置の操作者が複数人いる例を示し、ユーザ名とパスワードを入力させて識別をしたが、指紋や虹彩等のバイオメトリックス（生体認証）を採用することにより、安全性が高く、操作性が良いシステムを構築できる。また、院内で運用する名札にバーコードやＩＣタグを付加したものを使用し、Ｘ線撮影装置を使用する際に操作者の認証に使用するようにしてもよい。何れの場合においても、Ｘ線撮影装置の操作者を識別し、撮影記録を管理装置に送信するように制御する。
【００６１】
更に、Ｘ線撮影管理サーバ手段は、ＣＰＵ１４が実行するプログラムであるので、必ずしも撮影管理装置７３上で実行する必要はない。例えば、或るＸ線撮影装置１０’の内部に構成し、管理者がＸ線撮影装置１０’を使用する時にＸ線撮影管理機能を実現することもできる。
【００６２】
また、小さな病院で操作者が１人の場合には、操作者を識別する必要がなくログインのステップが不要なので、既定のユーザ名を使用するようにし、図２に示すログイン画面の表示を省略することも可能である。その場合には、Ｘ線撮影管理サーバ手段をＸ線撮影装置内部に構成し、Ｘ線撮影装置単独でＸ線撮影管理機能を実現できる。
【００６３】
以上の説明は本発明の好ましい実施例について行ったが、本発明はこれらの実施例に限定されないことは云うまでもなく、その要旨の範囲内で種々の変形及び変更が可能である。
【図面の簡単な説明】
【００６４】
【図１】Ｘ線画像撮影装置のブロック回路構成図である。
【図２】操作者を特定するためのログイン画面の正面図である。
【図３】Ｘ線撮影装置が取得した撮影オーダ一覧の画面の正面図である。
【図４】Ｘ線撮影装置が受信した撮影オーダ情報の画面の正面図である。
【図５】表示部の撮影後の画面の正面図である。
【図６】実施例のブロック回路構成図である。
【図７】撮影後に写損となった画像がある場合の画面の正面図である。
【図８】再撮影又は写損を指示したときの理由を入力する画面の正面図である。
【図９】撮影記録の保存例の説明図である。
【図１０】検査画像と撮影記録の出力動作のフローチャート図である。
【図１１】撮影処理動作のフローチャート図である。
【符号の説明】
【００６５】
１０、１０’、１０”  Ｘ線撮影装置
１１  内部バス
１３  ＲＡＭ
１４  ＣＰＵ
１５  ディスクインタフェース
１６  ＬＡＮインタフェース
１７  ユーザインタフェース
１８  ＦＰＤ
１９  ハードディスク
２０  表示用ディスプレイ
２１  操作部
２２  曝射スイッチ
２３  Ｘ線発生装置制御部
２４  Ｘ線管球
２５  ＬＡＮケーブル
２６  オーダ装置
３０、４０、５０、６０、８０、９０  画面
７１  ＰＡＣＳ
７２  画像ビューア装置
７３  撮影管理装置
７４  外部記憶装置
【図１】
0004764098.tif 000002
【図２】
0004764098.tif 000003
【図３】
0004764098.tif 000004
【図４】
0004764098.tif 000005
【図５】
0004764098.tif 000006
【図６】
0004764098.tif 000007
【図７】
0004764098.tif 000008
【図８】
0004764098.tif 000009
【図９】
0004764098.tif 000010
【図１０】
0004764098.tif 000011
【図１１】
0004764098.tif 000012